(57)【要約】【課題】  高品位のＢＣＡ信号を出力し得る光記録媒体、及び該光情報記録媒体を製造可能な光情報記録媒体の製造方法を提供する。【解決手段】  基板上に、情報記録層と、接着層又は粘着層と、カバーシートとをこの順に有し、かつＢＣＡ領域にＢＣＡ情報が付与されている光情報記録媒体であって、前記ＢＣＡ情報が、前記カバーシートのいずれか一方の面に付与されていることを特徴とする光情報記録媒体、及び光情報記録媒体の製造方法であって、前記カバーシートとなるシートのウエブをディスク状に打ち抜く工程と、ディスク状に打ち抜いたシートにＢＣＡ情報を印刷又はスタンプする工程と、前記ＢＣＡ情報を印刷又はスタンプしたカバーシートを接着剤又は粘着剤によって貼り合せる工程と、を含むことを特徴とする光情報記録媒体の製造方法である。【選択図】  図２
2006252643.tif 000002
【特許請求の範囲】
【請求項１】
基板上に、情報記録層と、接着層又は粘着層と、カバーシートとをこの順に有し、かつＢＣＡ領域にＢＣＡ情報が付与されている光情報記録媒体であって、
前記ＢＣＡ情報が、前記カバーシートのいずれか一方の面に付与されていることを特徴とする光情報記録媒体。
【請求項２】
前記ＢＣＡ情報が、基板のＢＣＡ領域に対応するカバーシートの領域に付与されていることを特徴とする請求項１に記載の光情報記録媒体。
【請求項３】
前記ＢＣＡ情報が、カバーシートの基板側の面に付与されていることを特徴とする請求項１または２に記載の光情報記録媒体。
【請求項４】
前記ＢＣＡ情報が、印刷又はスタンプすることにより付与されていることを特徴とする請求項１から３のいずれか１項に記載の光情報記録媒体。
【請求項５】
基板上に、少なくとも、情報記録層と、接着層又は粘着層と、カバーシートとをこの順に有し、かつＢＣＡ領域にＢＣＡ情報が付与されている光情報記録媒体の製造方法であって、
前記カバーシートとなるシートのウエブをディスク状に打ち抜く工程と、ディスク状に打ち抜いたシートにＢＣＡ情報を印刷又はスタンプする工程と、前記ＢＣＡ情報を印刷又はスタンプしたカバーシートを接着剤又は粘着剤によって貼り合せる工程と、を含むことを特徴とする光情報記録媒体の製造方法。
【請求項６】
基板上に、少なくとも、情報記録層と、接着層又は粘着層と、カバーシートとをこの順に有し、かつＢＣＡ領域にＢＣＡ情報が付与されている光情報記録媒体の製造方法であって、
前記カバーシートとなるシートのウエブにＢＣＡ情報を印刷又はスタンプする工程と、前記ＢＣＡ情報を印刷又はスタンプしたカバーシートをディスク状に打ち抜く工程と、ディスク状に打ち抜いたカバーシートを接着剤又は粘着剤によって貼り合せる工程と、を含むことを特徴とする光情報記録媒体の製造方法。
【請求項７】
基板上に、少なくとも、情報記録層と、接着層又は粘着層と、カバーシートとをこの順に有し、かつＢＣＡ領域にＢＣＡ情報が付与されている光情報記録媒体の製造方法であって、
前記カバーシートとなるシートのウエブにＢＣＡ情報を印刷又はスタンプする工程と、前記前記ＢＣＡ情報を印刷したシートに粘着剤と塗布した後、ディスク状に打ち抜く工程と、ディスク状に打ち抜いたカバーシートを前記粘着剤によって貼り合せる工程と、を含むことを特徴とする光情報記録媒体の製造方法。
【請求項８】
光情報記録媒体にレーザー光を照射して、前記光情報記録媒体のＢＣＡ信号を検出するＢＣＡ信号の検出方法であって、
前記光情報記録媒体がＢＣＡ情報が付与されたカバーシートを有し、前記ＢＣＡ信号の検出を前記カバーシートに付与されたＢＣＡ情報を読み取ることにより行うことを特徴とするＢＣＡ信号の検出方法。
【請求項９】
光情報記録媒体にレーザー光を照射して、前記光情報記録媒体のＢＣＡ信号を検出して記録ビームを制御する記録ビームの制御方法であって、
前記光情報記録媒体がＢＣＡ情報が付与されたカバーシートを有し、前記ＢＣＡ信号の検出を前記カバーシートに付与されたＢＣＡ情報を読み取ることにより行い、検出されたＢＣＡ信号に基づいて記録ビームの強度及び照射時間を制御することを特徴とする記録ビームの制御方法。
【発明の詳細な説明】
【技術分野】
【０００１】
本発明は、光情報記録媒体、特にＢＣＡを有する光情報記録媒体及びその製造方法、並びにＢＣＡ信号の検出方法、及び記録ビームの制御方法に関する。
【背景技術】
【０００２】
従来から、レーザー光により一回限りの情報の記録が可能な光情報記録媒体（光ディスク）が知られている。この光ディスクは、追記型ＣＤ（所謂ＣＤ−Ｒ）とも称され、その代表的な構造は、透明な円盤状基板上に有機色素からなる記録層、金等の金属からなる反射層、更に樹脂製の保護層（透明シート）がこの順に積層したものである。そしてこのＣＤ−Ｒへの情報の記録は、近赤外域のレーザー光（通常は７８０ｎｍ付近の波長のレーザー光）をＣＤ−Ｒに照射することにより行われ、記録層の照射部分がその光を吸収して局所的に温度上昇し、物理的或いは化学的変化（例えば、ピットの生成）によりその部分の光学的特性が変化することにより情報が記録される。一方、情報の読み取り（再生）もまた記録用のレーザー光と同じ波長のレーザー光をＣＤ−Ｒに照射することにより行われ、記録層の光学的特性が変化した部位（記録部分）と変化していない部位（未記録部分）との反射率の違いを検出することにより行われている。
【０００３】
近年、記録密度のより高い光情報記録媒体が求められている。このような要望に対して、追記型デジタル・ヴァーサタイル・ディスク（所謂ＤＶＤ−Ｒ）と称される光ディスクが提案されている（例えば、「日経ニューメディア」別冊「ＤＶＤ」、１９９５年発行）。このＤＶＤ−Ｒは、照射されるレーザー光のトラッキングのための案内溝（プリグルーブ）がＣＤ−Ｒの半分以下（０．７４〜０．８μｍ）という狭い溝幅で形成された透明な円盤状基板上に、通常、有機色素を含有する記録層、反射層、及び保護層をこの順に積層したディスク２枚を記録層を内側にして貼り合わせた構造、或いはこのディスクと同じ形状の円盤状保護基板とを記録層を内側にして貼り合わせた構造を有している。そして、このＤＶＤ−Ｒへの情報の記録及び再生は、可視レーザー光（通常は、６３０ｎｍ〜６８０ｎｍの範囲の波長のレーザー光）を照射することにより行われており、ＣＤ−Ｒより高密度の記録が可能である。
【０００４】
最近、インターネット等のネットワークやハイビジョンＴＶが急速に普及している。また、ＨＤＴＶ（High Definition Television）の放映開始も開始された。このような状況の下で、画像情報を安価簡便に記録することができる大容量の記録媒体が必要とされている。ＤＶＤ−Ｒは現状では大容量の記録媒体としての役割を十分に果たしているが、大容量化、高密度化の要求は高まる一方であり、これらの要求に対応できる記録媒体の開発も必要である。このため、ＤＶＤ−Ｒよりも更に短波長の光で高密度の記録を行なうことができる、より大容量の記録媒体の開発が進められている。
【０００５】
通常、光情報記録媒体の高密度化は、記録及び再生用レーザの短波長化、対物レンズの高ＮＡ化によりビームスポットを小さくすることで達成することができる。最近では、波長６８０ｎｍ、６５０ｎｍ及び６３５ｎｍの赤色半導体レーザから、更に超高密度の記録が可能となる波長４００ｎｍ〜５００ｎｍの青紫色半導体レーザ（以下、青紫色レーザと称する。）まで開発が急速に進んでおり、それに対応した光情報記録媒体の開発も行われている。特に、青紫色レーザの発売以来、該青紫色レーザと高ＮＡピックアップを利用した光記録システムの開発が検討されており、相変化する記録層を有する書換型光情報記録媒体及び光記録システムは、既に、ＤＶＲ−Ｂｌｕｅシステムとして発表されている（例えば、非特許文献１参照。）。また、有機色素を用いた追記型光情報記録媒体であって、青紫レーザーにより記録・再生を行うＤＶＲ−Ｂｌｕｅディスクも発表されている（例えば、非特許文献２参照。）。これらの光情報記録媒体により、高密度化という課題に対しては、一定の成果が得られた。
【０００６】
ところで、このような大容量化に伴い、光情報記録媒体に記録した情報の流出や不正コピー防止技術が進展している。すなわち、セキュリティ技術として、光情報記録媒体に対して個々の情報を記録することが要望されている。
【０００７】
このような要望に対し、光情報記録媒体に対する個別情報としては、例えば、再生専用型の光情報記録媒体のピット部に、バーコードを重ね書きした追記領域（Burst Cutting Area、以下「ＢＣＡ」ということがある）を設け、媒体ごとに異なる情報や、暗号鍵・復号鍵等に関する情報といった補助情報を記録する技術が一般的に適用されている（例えば、特許文献１〜４参照）。
【０００８】
その他、主情報とは別に補助情報（著作権保護情報、製造日情報など）が、主情報が記録されているより内周部に同心円上にバーコード状記録（ＢＣＡ）した光記録媒体が提案されている（例えば、特許文献５参照。）。この光記録媒体におけるＢＣＡ信号の記録は、スタンパで記録トラック形成時にＹＡＧレーザーなど高出力レーザーによりディスクの反射層を選択的に焼き切って除去するという手法により行っている。この手法では、１枚、１枚を高出力のレーザーを用いて焼き切るため、長時間を要するとともに、レーザー装置等が高価であるため設備コストの点において不利である。また、品位の高いＢＣＡ信号を得るにはディスク（記録層や反射層の厚み）により条件を変更する必要があるという問題があった。さらに、該記録方法では、スタンパにＢＣＡ信号を書き込むため、シリアル番号など、個々の媒体により異なる情報を記録するには媒体ごとにそれぞれ別のスタンパを作製しなければならず、コスト上現実的な手法ではない。
【特許文献１】特開２００２−１３３７２６号公報
【特許文献２】特開２００２−１９７６７０号公報
【特許文献３】特開２００２−２０８１８８号公報
【特許文献４】特開２００３−１９６８４３号公報
【特許文献５】特開２００４−３０３８８１号公報
【特許文献１】特開２００３−１９６８４３号公報
【非特許文献１】“ＩＳＯＭ２０００”２１０〜２１１頁
【非特許文献２】“ＩＳＯＭ２００１”２１８〜２１９頁
【発明の開示】
【発明が解決しようとする課題】
【０００９】
本発明は前記の如き問題点に鑑みてなされたものであり、本発明の目的は、高品位のＢＣＡ信号を出力し得る光記録媒体、及び該光情報記録媒体を製造可能な光情報記録媒体の製造方法、特に、それぞれ異なるＢＣＡ情報を有する複数の光情報記録媒体を容易に製造可能な光記録媒体の製造方法、並びにＢＣＡ信号の検出精度が高いＢＣＡ信号の検出方法、記録ビームの制御方法を提供することにある。
【課題を解決するための手段】
【００１０】
前記課題は、下記に示す本発明により解決される。すなわち、
＜１＞  基板上に、情報記録層と、接着層又は粘着層と、カバーシートとをこの順に有し、かつＢＣＡ領域にＢＣＡ情報が付与されている光情報記録媒体であって、前記ＢＣＡ情報が、前記カバーシートのいずれか一方の面に付与されていることを特徴とする光情報記録媒体である。
【００１１】
＜２＞  前記ＢＣＡ情報が、基板のＢＣＡ領域に対応するカバーシートの領域に付与されていることを特徴とする前記＜１＞に記載の光情報記録媒体である。
【００１２】
＜３＞  前記ＢＣＡ情報が、カバーシートの基板側の面に付与されていることを特徴とする前記＜１＞または＜２＞に記載の光情報記録媒体である。
【００１３】
＜４＞  前記ＢＣＡ情報が、印刷又はスタンプすることにより付与されていることを特徴とする前記＜１＞から＜３＞のいずれかに記載の光情報記録媒体である。
【００１４】
＜５＞  基板上に、少なくとも、情報記録層と、接着層又は粘着層と、カバーシートとをこの順に有し、かつＢＣＡ領域にＢＣＡ情報が付与されている光情報記録媒体の製造方法であって、前記カバーシートとなるシートのウエブをディスク状に打ち抜く工程と、ディスク状に打ち抜いたシートにＢＣＡ情報を印刷又はスタンプする工程と、前記ＢＣＡ情報を印刷又はスタンプしたカバーシートを接着剤又は粘着剤によって貼り合せる工程と、を含むことを特徴とする光情報記録媒体の製造方法である。
【００１５】
＜６＞  基板上に、少なくとも、情報記録層と、接着層又は粘着層と、カバーシートとをこの順に有し、かつＢＣＡ領域にＢＣＡ情報が付与されている光情報記録媒体の製造方法であって、前記カバーシートとなるシートのウエブにＢＣＡ情報を印刷又はスタンプする工程と、前記ＢＣＡ情報を印刷又はスタンプしたカバーシートをディスク状に打ち抜く工程と、ディスク状に打ち抜いたカバーシートを接着剤又は粘着剤によって貼り合せる工程と、を含むことを特徴とする光情報記録媒体の製造方法である。
【００１６】
＜７＞  基板上に、少なくとも、情報記録層と、接着層又は粘着層と、カバーシートとをこの順に有し、かつＢＣＡ領域にＢＣＡ情報が付与されている光情報記録媒体の製造方法であって、前記カバーシートとなるシートのウエブにＢＣＡ情報を印刷又はスタンプする工程と、前記前記ＢＣＡ情報を印刷したシートに粘着剤と塗布した後、ディスク状に打ち抜く工程と、ディスク状に打ち抜いたカバーシートを前記粘着剤によって貼り合せる工程と、を含むことを特徴とする光情報記録媒体の製造方法である。
【００１７】
＜８＞  光情報記録媒体にレーザー光を照射して、前記光情報記録媒体のＢＣＡ信号を検出するＢＣＡ信号の検出方法であって、前記光情報記録媒体がＢＣＡ情報が付与されたカバーシートを有し、前記ＢＣＡ信号の検出を前記カバーシートに付与されたＢＣＡ情報を読み取ることにより行うことを特徴とするＢＣＡ信号の検出方法である。
【００１８】
＜９＞  光情報記録媒体にレーザー光を照射して、前記光情報記録媒体のＢＣＡ信号を検出して記録ビームを制御する記録ビームの制御方法であって、前記光情報記録媒体がＢＣＡ情報が付与されたカバーシートを有し、前記ＢＣＡ信号の検出を前記カバーシートに付与されたＢＣＡ情報を読み取ることにより行い、検出されたＢＣＡ信号に基づいて記録ビームの強度及び照射時間を制御することを特徴とする記録ビームの制御方法である。
【００１９】
本発明によれば、高品位のＢＣＡ信号を出力し得る光記録媒体、及び該光情報記録媒体を製造可能な光情報記録媒体の製造方法、特に、それぞれ異なるＢＣＡ情報を有する複数の光情報記録媒体を容易に製造可能な光記録媒体の製造方法、並びにＢＣＡ信号の検出精度が高いＢＣＡ信号の検出方法、及び記録ビームの制御方法を提供することができる。
【発明を実施するための最良の形態】
【００２０】
本発明の光情報記録媒体は、基板上に、情報記録層と、接着層又は粘着層と、カバーシートとをこの順に有し、かつＢＣＡ領域（Burst Cutting Area）にＢＣＡ情報が付与されている光情報記録媒体であって、前記ＢＣＡ情報が、前記カバーシートのいずれか一方の面に印刷又はスタンプすることにより付与されていることを特徴とする光情報記録媒体である。
【００２１】
ここで、「ＢＣＡ領域（Burst Cutting Area）」とは、ＤＶＤ等に形成される光情報記録媒体の識別情報等を記録する領域またはそれと同様の機能を有する領域をいう。ＢＣＡ領域は、媒体の種類により設けられる場所が異なるが、例えば、光情報記録媒体の中心から、２２ｍｍ以上２４ｍｍ以下の範囲に設けられる。
【００２２】
ＢＣＡ領域に記録される信号（ＢＣＡ情報）としては、使用可能者指定情報、使用期間指定情報、使用可能回数指定情報、レンタル情報、分解能指定情報、レイヤー指定情報、ユーザ指定情報、著作権者情報、著作権番号情報、製造者情報、製造日情報、販売日情報、販売店または販売者情報、使用セット番号情報、地域指定情報、言語指定情報、用途指定情報、製品使用者情報、使用番号情報等、などが挙げられる。
当該補助情報を再生する際、本発明の光情報記録媒体は、従来の光情報記録媒体と同等の信頼性（例えば、違法コピー防止に対する信頼性等）を発揮することができる。
【００２３】
図１、図２は、それぞれ、本発明の光情報記録媒体の一例を示す上面図、断面図である。図１に示す光情報記録媒体１０は、基板１２上に、反射層１４と、情報記録層１６と、粘着層１８と、カバーシート２０とがこの順に積層されてなる。光情報記録媒体１０の中心部には、センターホール２２が設けられており、該センターホール２２の外側近傍に位置するＢＣＡ領域２４のカバーシート２０の粘着層１８側にはＢＣＡ情報が印刷によって付与されている。
【００２４】
本発明において、印刷又はスタンプによって付与されるＢＣＡ情報の形態としては、バーコード、文字列などが挙げられる。
【００２５】
本発明の光情報記録媒体は、従来のように、高出力レーザーにより反射層などを焼き切って除去してＢＣＡ情報を記録するのとは異なり、ＢＣＡ情報を印刷又はスタンプしたカバーシートを貼り付けることのみで、光情報記録媒体にＢＣＡ情報を付与することができる。ＢＣＡ情報の印刷又はスタンプは、低コストのプリンタやスタンプで行うことができ、短時間で行うことができるとともに、付与すべきＢＣＡ情報の変更があってもカバーシートへのＢＣＡ情報の記録条件を変更することによって迅速に対応することができるため自由度が高い。また、光情報記録媒体の条件（記録層や反射層の厚み）により記録すべきＢＣＡ情報の条件が異なっても容易に変更することができる。また、個々の媒体によって異なるＢＣＡ情報を付与する場合であっても、カバーシートへの印刷又はスタンプを変更してそれぞれ作製すればよいため、コスト的にも有利である。
【００２６】
ＢＣＡ情報の印刷は、種々の印刷方法を適用することができるが、具体的には、インクジェットプリンターによる印刷、電子写真装置、スクリーン印刷、熱転写型プリンターなどが挙げられる。また、スタンプとしては、信号や情報を描画したスタンパーを用いたインクを転写させる方法が考えられる。いずれの場合であっても、カバーシートに付与されるＢＣＡ情報としては、黒インクなど、レーザー光に対して非透過性のインクなどを用いて印刷又はスタンプすることができる。例えば、バーコードは、レーザー光に対して非透過性のインクなどの印刷領域と非印刷領域との組み合わせによって形成することができる。この「印刷領域」と「非印刷領域」とは、それぞれ、レーザー光によって反射層を除去してバーコードを形成する従来の場合における、「反射層を除去した領域」と、「反射層を除去しない領域」とに対応する。つまり、本発明の光情報記録媒体にレーザー光を照射した場合、「非印刷領域」ではレーザー光は透過して反射層に到達し該反射層で反射するが、「印刷領域」ではレーザー光は透過せず反射層に到達しない。そのため、「印刷領域」と「非印刷領域」とで、レーザー光に対する反射率に大きな差がある。従って、本発明においては、レーザー光を用いてＢＣＡ情報を付与する従来のものよりも、印刷領域と非印刷領域とで反射率の差を大きくすることができるため、高品位のＢＣＡ信号を得ることができる。
【００２７】
また、ＢＣＡ情報を個々の媒体ごとに異ならせるには、カバーシートに印刷するＢＣＡ情報をそれぞれの媒体において異ならせて印刷して貼り付ければよく非常に容易である。
【００２８】
以上は、ＢＣＡ情報はカバーシートの粘着層側に位置するように印刷された例を示し、それが好ましい態様であるが、本発明はそれに限定されず、反対側、つまりカバーシートの外側に位置するように印刷しても構わない。
【００２９】
以下、本発明の光情報記録媒体、及びその製造方法について、各層及びその形成方法を通じて順に説明する。
【００３０】
〔基板〕
本発明おける基板としては、従来の光情報記録媒体の基板材料として用いられている各種の材料を任意に選択して使用することができる。
具体的には、ガラス；ポリカーボネート、ポリメチルメタクリレート等のアクリル樹脂；ポリ塩化ビニル、塩化ビニル共重合体等の塩化ビニル系樹脂；エポキシ樹脂；アモルファスポリオレフィン；ポリエステル；アルミニウム等の金属；等を挙げることができ、所望によりこれらを併用してもよい。
上記材料の中では、耐湿性、寸法安定性及び低価格等の点から、アモルファスポリオレフィン、ポリカーボネート等の熱可塑性樹脂が好ましく、ポリカーボネートが特に好ましい。
これらの樹脂を用いた場合、射出成型を用いて基板を作製することができる。
また、基板の厚さは、０．７〜２ｍｍの範囲であることを要し、０．９〜１．６ｍｍの範囲であることが好ましく、１．０〜１．３ｍｍとすることがより好ましい。
【００３１】
また、基板には、情報記録層が設けられる側の面に、トラッキング用の案内溝又はアドレス信号等の情報を表わす凹凸（プリグルーブ）が形成されている。より高い記録密度を達成するためにはＣＤ−ＲやＤＶＤ−Ｒに比べて、より狭いトラックピッチのプリグルーブが必要となる。例えば、本発明の光情報記録媒体を、好適な、青紫色レーザに対応する媒体として使用する場合には、形成されるプリグルーブは以下に示す範囲のものであることが好ましい。
【００３２】
プリグルーブのトラックピッチは、上限値が５００ｎｍ以下であることが好ましく、４２０ｎｍ以下であることがより好ましく、３７０ｎｍ以下であることが更に好ましく、３３０ｎｍ以下であることが特に好ましい。また、下限値は、５０ｎｍ以上であることが好ましく、１００ｎｍ以上であることがより好ましく、２００ｎｍ以上であることが更に好ましく、２６０ｎｍ以上であることが特に好ましい。
プリグルーブの幅（半値幅）は、上限値が２５０ｎｍ以下であることが好ましく、２００ｎｍ以下であることがより好ましく、１７０ｎｍ以下であることが更に好ましく、１５０ｎｍ以下であることが特に好ましい。また、下限値は、２３ｎｍ以上であることが好ましく、５０ｎｍ以上であることがより好ましく、８０ｎｍ以上であることが更に好ましく、１００ｎｍ以上であることが特に好ましい。
【００３３】
プリグルーブの（溝）深さは、上限値が１５０ｎｍ以下であることが好ましく、１００ｎｍ以下であることがより好ましく、７０ｎｍ以下であることが更に好ましく、５０ｎｍ以下であることが特に好ましい。また、下限値は、５ｎｍ以上であることが好ましく、１０ｎｍ以上であることがより好ましく、２０ｎｍ以上であることが更に好ましく、２８ｎｍ以上であることが特に好ましい。
プリグルーブの角度は、上限値が８０°以下であることが好ましく、７０°以下であることがより好ましく、６０°以下であることが更に好ましく、５０°以下であることが特に好ましい。また、下限値は、２０°以上であることが好ましく、３０°以上であることがより好ましく、４０°以上であることが更に好ましい。
なお、上記のプリグルーブに関する上限値及び下限値は、それぞれが任意で組み合わせることができる。
【００３４】
これらのプリグルーブの値は、ＡＦＭ（原子間力顕微鏡）により測定することができる。なお、上記プリグルーブの角度とは、グルーブの溝深さをＤとした時、溝形成前の基板の表面を基準とし、その表面からＤ／１０の深さの傾斜部と、溝の最も深い個所からＤ／１０の高さの傾斜部と、を結ぶ直線と、基板面（溝部底面）と、が成す角度である。
また、本発明の光情報記録媒体が、再生専用の光情報媒体である場合、上記のプリグルーブを形成するのと同時に、所定の情報を示すピットが形成される。
【００３５】
このような溝形状を有するプリグルーブ（及びピット）を有する基板を作製するには、射出成型時に用いるスタンパが、高精度なマスタリングにより形成されることが必要である。このマスタリングには、上述の溝形状を達成するために、ＤＵＶ（波長３３０ｎｍ以下、深紫外線）レーザーや、ＥＢ（電子ビーム）によるカッティングが用いられることが好ましい。
一方、ＵＶレーザーや可視光レーザーでは、本発明の光情報記録媒体のような溝形状を形成するための、良好なマスタリングを行うことが困難である。
【００３６】
なお、基板の表面には、平面性の改善、接着力の向上の目的で、下塗層を形成することが好ましい。
該下塗層の材料としては、例えば、ポリメチルメタクリレート、アクリル酸・メタクリル酸共重合体、スチレン・無水マレイン酸共重合体、ポリビニルアルコール、Ｎ−メチロールアクリルアミド、スチレン・ビニルトルエン共重合体、クロルスルホン化ポリエチレン、ニトロセルロース、ポリ塩化ビニル、塩素化ポリオレフィン、ポリエステル、ポリイミド、酢酸ビニル・塩化ビニル共重合体、エチレン・酢酸ビニル共重合体、ポリエチレン、ポリプロピレン、ポリカーボネート等の高分子物質；シランカップリング剤等の表面改質剤；を挙げることができる。
下塗層は、上記材料を適当な溶剤に溶解又は分散して塗布液を調製した後、この塗布液をスピンコート、ディップコート、エクストルージョンコート等の塗布法により基板表面に塗布することにより形成することができる。下塗層の層厚は、一般に０．００５〜２０μｍの範囲にあり、好ましくは０．０１〜１０μｍの範囲である。
【００３７】
〔情報記録層〕
本発明のおける情報記録層は、レーザー光で読み取ることができる情報が記録された層、又はそのような情報を記録することができる層を包括する概念であり、より具体的には、ピット、色素記録層、相変化型記録層などを含む概念である。なお、ピットは基板に形成された窪みであり、実際に層を構成しているわけではないが、本明細書においては情報記録層にはピットをも含むこととする。つまり、ＲＯＭ構成の場合、基板内におけるピットが位置する領域を情報記録層とみなす。
【００３８】
本発明における情報記録層は、色素を記録物質として含有する色素型とすることが好ましいが、これに限定されず、無機追記型（ライトワンス型）、相変化型、光磁気型、再生専用型等とすることもできる。
従って、情報記録層に含有される記録物質としては、色素等の有機化合物や相変化金属化合物等が挙げられる。
中でも、レーザー光により一回限りの情報の記録が可能な、色素型の情報記録層であることが好ましい。かかる色素型の情報記録層は、記録波長領域に吸収を有する色素を含有していることが好ましい。当該色素としては、シアニン色素、オキソノール色素、金属錯体系色素、アゾ色素、フタロシアニン色素等が挙げられ、中でも、オキソノール色素が好ましい。
【００３９】
また、特開平４−７４６９０号公報、特開平８−１２７１７４号公報、同１１−５３７５８号公報、同１１−３３４２０４号公報、同１１−３３４２０５号公報、同１１−３３４２０６号公報、同１１−３３４２０７号公報、特開２０００−４３４２３号公報、同２０００−１０８５１３号公報、及び同２０００−１５８８１８号公報等に記載されている色素も好適に用いられる。
【００４０】
このような情報記録層は、色素を、結合剤等と共に適当な溶剤に溶解して塗布液を調製し、次いで、この塗布液を、基板上又は後述する反射層上に塗布して塗膜を形成した後、乾燥することにより形成される。その際、塗布液を塗布する面の温度は、１０〜４０℃の範囲であることが好ましい。より好ましくは、下限値が、１５℃以上であり、２０℃以上であることが更に好ましく、２３℃以上であることが特に好ましい。また、下限値としては、３５℃以下であることがより好ましく、３０℃以下であることが更に好ましく、２７℃以下であることが特に好ましい。このように被塗布面温度が上記範囲にあると、塗布ムラや塗布故障の発生を防止し、塗膜の厚さを均一とすることができる。
なお、上記の上限値及び下限値は、それぞれが任意で組み合わせることができる。
ここで、情報記録層は、単層でも重層でもよく、重層構造の場合、塗布工程を複数回行うことによって形成される。
塗布液中の色素の濃度は、一般に０．０１〜１５質量％の範囲であり、好ましくは０．１〜１０質量％の範囲、より好ましくは０．５〜５質量％の範囲、最も好ましくは０．５〜３質量％の範囲である。
【００４１】
塗布液の溶剤としては、酢酸ブチル、乳酸エチル、セロソルブアセテート等のエステル；メチルエチルケトン、シクロヘキサノン、メチルイソブチルケトン等のケトン；ジクロルメタン、１，２−ジクロルエタン、クロロホルム等の塩素化炭化水素；ジメチルホルムアミド等のアミド；メチルシクロヘキサン等の炭化水素；テトラヒドロフラン、エチルエーテル、ジオキサン等のエーテル；エタノール、ｎ−プロパノール、イソプロパノール、ｎ−ブタノールジアセトンアルコール等のアルコール；２，２，３，３−テトラフルオロプロパノール等のフッ素系溶剤；エチレングリコールモノメチルエーテル、エチレングリコールモノエチルエーテル、プロピレングリコールモノメチルエーテル等のグリコールエーテル類；等を挙げることができる。
上記溶剤は使用する色素の溶解性を考慮して単独で、或いは二種以上を組み合わせて使用することができる。塗布液中には、更に、酸化防止剤、ＵＶ吸収剤、可塑剤、潤滑剤等各種の添加剤を目的に応じて添加してもよい。
【００４２】
塗布方法としては、スプレー法、スピンコート法、ディップ法、ロールコート法、ブレードコート法、ドクターロール法、スクリーン印刷法等を挙げることができる。
塗布の際、塗布液の温度は、２３〜５０℃の範囲であることが好ましく、２４〜４０℃の範囲であることがより好ましく、中でも、２３〜５０℃の範囲であることが特に好ましい。
【００４３】
このようにして形成された情報記録層の厚さは、グルーブ（前記基板において凸部）上で、３００ｎｍ以下であることが好ましく、２５０ｎｍ以下であることがより好ましく、２００ｎｍ以下であることが更に好ましく、１８０ｎｍ以下であることが特に好ましい。下限値としては、３０ｎｍ以上であることが好ましく、５０ｎｍ以上であることがより好ましく、７０ｎｍ以上であることが更に好ましく、９０ｎｍ以上であることが特に好ましい。
また、情報記録層の厚さは、ランド上（前記基板において凹部）で、４００ｎｍ以下であることが好ましく、３００ｎｍ以下であることがより好ましく、２５０ｎｍ以下であることが更に好ましい。下限値としては、７０ｎｍ以上であることが好ましく、９０ｎｍ以上であることがより好ましく、１１０ｎｍ以上であることが更に好ましい。
更に、グルーブ上の情報記録層の厚さ／ランド上の情報記録層の厚さの比は、０．４以上であることが好ましく、０．５以上であることがより好ましく、０．６以上であることが更に好ましく、０．７以上であることが特に好ましい。上限値としては、１未満であることが好ましく、０．９以下であることがより好ましく、０．８５以下であることが更に好ましく、０．８以下であることが特に好ましい。
なお、上記の上限値及び下限値は、それぞれ任意に組み合わせることができる。
【００４４】
塗布液が結合剤を含有する場合、該結合剤の例としては、ゼラチン、セルロース誘導体、デキストラン、ロジン、ゴム等の天然有機高分子物質；ポリエチレン、ポリプロピレン、ポリスチレン、ポリイソブチレン等の炭化水素系樹脂、ポリ塩化ビニル、ポリ塩化ビニリデン、ポリ塩化ビニル・ポリ酢酸ビニル共重合体等のビニル系樹脂、ポリアクリル酸メチル、ポリメタクリル酸メチル等のアクリル樹脂、ポリビニルアルコール、塩素化ポリエチレン、エポキシ樹脂、ブチラール樹脂、ゴム誘導体、フェノール・ホルムアルデヒド樹脂等の熱硬化性樹脂の初期縮合物等の合成有機高分子；を挙げることができる。情報記録層の材料として結合剤を併用する場合に、結合剤の使用量は、一般に色素に対して０．０１倍量〜５０倍量（質量比）の範囲にあり、好ましくは０．１倍量〜５倍量（質量比）の範囲にある。
【００４５】
また、情報記録層には、該情報記録層の耐光性を向上させるために、種々の褪色防止剤を含有させることができる。
褪色防止剤としては、一般的に一重項酸素クエンチャーが用いられる。一重項酸素クエンチャーとしては、既に公知の特許明細書等の刊行物に記載のものを利用することができる。
その具体例としては、特開昭５８−１７５６９３号公報、同５９−８１１９４号公報、同６０−１８３８７号公報、同６０−１９５８６号公報、同６０−１９５８７号公報、同６０−３５０５４号公報、同６０−３６１９０号公報、同６０−３６１９１号公報、同６０−４４５５４号公報、同６０−４４５５５号公報、同６０−４４３８９号公報、同６０−４４３９０号公報、同６０−５４８９２号公報、同６０−４７０６９号公報、同６３−２０９９９５号公報、特開平４−２５４９２号公報、特公平１−３８６８０号公報、及び同６−２６０２８号公報等の各公報、ドイツ特許３５０３９９号明細書、そして日本化学会誌１９９２年１０月号第１１４１頁等に記載のものを挙げることができる。
前記一重項酸素クエンチャー等の褪色防止剤の使用量は、色素の量に対して、通常０．１〜５０質量％の範囲であり、好ましくは、０．５〜４５質量％の範囲、更に好ましくは、３〜４０質量％の範囲、特に好ましくは５〜２５質量％の範囲である。
【００４６】
以上、情報記録層が色素型記録層である場合の溶剤塗布法について述べたが、情報記録層は記録物質の物性に合わせ、蒸着、スパッタリング、ＣＶＤ等の成膜法によって形成することもできる。
例えば、記録物質として相変化金属化合物を用いた場合には、このような成膜法を用いて情報記録層を形成することがで好ましい。ここで、相変化金属化合物としては、ＳｂＴｅ、ＡｇＳｂＴｅ、ＩｎＡｇＳｂＴｅ等のいずれを用いてもよい。
【００４７】
〔カバーシート〕
本発明におけるカバーシートは上述した情報記録層又は後述するバリア層上に接着層又は粘着層を介して貼り合わされる。
本発明において用いられるカバーシートに用いられるシート材料としては、透明な材質のフィルムであれば、特に限定されないが、ポリカーボネート、ポリメチルメタクリレート等のアクリル樹脂；ポリ塩化ビニル、塩化ビニル共重合体等の塩化ビニル系樹脂；エポキシ樹脂；アモルファスポリオレフィン；ポリエステル；三酢酸セルロース等を使用することが好ましく、中でも、ポリカーボネート又は三酢酸セルロースを使用することがより好ましい。
なお、「透明」とは、記録及び再生に用いられる光に対して、透過率８０％以上であることを意味する。
【００４８】
また、カバーシートは、本発明の効果を妨げない範囲において、種々の添加剤が含有されていてもよい。例えば、波長４００ｎｍ以下の光をカットするためのＵＶ吸収剤及び／又は５００ｎｍ以上の光をカットするための色素が含有されていてもよい。
更に、シートの表面物性としては、表面粗さが２次元粗さパラメータ及び３次元粗さパラメータのいずれも５ｎｍ以下であることが好ましい。
また、記録及び再生に用いられる光の集光度の観点から、透明シートの複屈折は１０ｎｍ以下であることが好ましい。
【００４９】
カバーシートの厚さは、記録及び再生のために照射されるレーザー光の波長やＮＡにより、適宜、規定されるが、カバーシートは、０．０１〜０．６ｍｍの範囲内であることが好ましく、０．０５〜０．２ｍｍの範囲であることがより好ましい。
【００５０】
本発明の光情報記録媒体においては、既述のように、以上のカバーシートにＢＣＡ情報が印刷又はスタンプされる。
【００５１】
〔接着層、粘着層〕
カバーシートは、既述のように、接着層又は粘着層を介して貼り合わされる。接着層、粘着層の材質としては、それぞれ、接着剤又は粘着剤とすることができる。以下、それぞれについて順に説明する。
【００５２】
カバーシートを貼り合せるために用いられる接着剤は、例えば、ＵＶ硬化樹脂、ＥＢ硬化樹脂、熱硬化樹脂等を使用することが好ましく、特に、ＵＶ硬化樹脂を使用することが好ましい。
接着剤としてＵＶ硬化樹脂を使用する場合は、該ＵＶ硬化樹脂をそのまま、若しくはメチルエチルケトン、酢酸エチル等の適当な溶剤に溶解して塗布液を調製し、ディスペンサからバリア層表面に供給してもよい。また、作製される光情報記録媒体の反りを防止するため、接着層を構成するＵＶ硬化樹脂は硬化収縮率の小さいものが好ましい。このようなＵＶ硬化樹脂としては、例えば、大日本インキ化学工業（株）社製の「ＳＤ−６４０」等のＵＶ硬化樹脂を挙げることができる。
【００５３】
接着剤は、例えば、バリア層からなる被貼り合わせ面上に、所定量塗布し、その上に、透明シートを載置した後、スピンコートにより接着剤を、被貼り合わせ面と透明シートとの間に均一になるように広げた後、硬化させることが好ましい。
このような接着剤からなる接着層の厚さは、０．１〜１００μｍの範囲が好ましく、より好ましくは０．５〜５０μｍの範囲、更に好ましくは１０〜３０μｍの範囲である。
【００５４】
また、粘着層に用いられる粘着剤としては、アクリル系、ゴム系、シリコン系の粘着剤を使用することができるが、透明性、耐久性の観点から、アクリル系の粘着剤が好ましい。かかるアクリル系の粘着剤としては、２−エチルヘキシルアクリレート、ｎ−ブチルアクリレートなどを主成分とし、凝集力を向上させるために、短鎖のアルキルアクリレートやメタクリレート、例えば、メチルアクリレート、エチルアクリレート、メチルメタクリレートと、架橋剤との架橋点となりうるアクリル酸、メタクリル酸、アクリルアミド誘導体、マレイン酸、ヒドロキシルエチルアクリレート、グリシジルアクリレートなどと、を共重合したものを用いることが好ましい。主成分と、短鎖成分と、架橋点を付加するための成分と、の混合比率、種類を、適宜、調節することにより、ガラス転移温度（Ｔｇ）や架橋密度を変えることができる。
【００５５】
上記粘着剤と併用される架橋剤としては、例えば、イソシアネート系架橋剤が挙げられる。かかるイソシアネート系架橋剤としては、トリレンジイソシアネート、４，４’−ジフェニルメタンジイソシアネート、ヘキサメチレンジイソシアネート、キシリレンジイソシアネート、ナフチレン−１，５−ジイソシアネート、ｏ−トルイジンイソシアネート、イソホロンジイソシアネート、トリフェニルメタントリイソシアネート等のイソシアネート類、また、これらのイソシアネート類とポリアルコールとの生成物、また、イソシアネート類の縮合によって生成したポリイソシアネート類を使用することができる。これらのイソシアネート類の市販されている商品としては、日本ポリウレタン社製のコロネートＬ、コロネートＨＬ、コロネート２０３０、コロネート２０３１、ミリオネートＭＲ、ミリオネートＨＴＬ；武田薬品社製のタケネートＤ−１０２、タケネートＤ−１１０Ｎ、タケネートＤ−２００、タケネートＤ−２０２；住友バイエル社製のデスモジュールＬ、デスモジュールＩＬ、デスモジュールＮ、デスモジュールＨＬ；等を挙げることができる。
【００５６】
粘着剤は、バリア層からなる被貼り合わせ面上に、所定量、均一に塗布し、その上に、透明シートを載置した後、硬化させてもよいし、予め、透明シートの片面に、所定量を均一に塗布して粘着剤塗膜を形成しておき、該塗膜を被貼り合わせ面に貼り合わせ、その後、硬化させてもよい。
また、透明シートに、予め、粘着層が設けられた市販の粘着フィルムを用いてもよい。
このような粘着剤からなる粘着層の厚さは、０．１〜１００μｍの範囲が好ましく、より好ましくは０．５〜５０μｍの範囲、更に好ましくは１０〜３０μｍの範囲である。
【００５７】
〔反射層〕
本発明において、レーザー光に対する反射率を高めたり、記録再生特性を改良する機能を付与したりするために、基板と情報記録層との間に、反射層を形成することが好ましい。本発明の第２の態様においては反射層が疎水層に相当する。なお、疎水層は、反射層の他、熱遮蔽層、光干渉層などが挙げられる。
反射層は、レーザー光に対する反射率が高い光反射性物質を、真空蒸着、スパッタリング又はイオンプレーティングすることにより基板上に形成することができる。
反射層の層厚は、一般的には１０〜３００ｎｍの範囲とし、５０〜２００ｎｍの範囲とすることが好ましい。
なお、前記反射率は、７０％以上であることが好ましい。
【００５８】
反射率が高い光反射性物質としては、Ｍｇ、Ｓｅ、Ｙ、Ｔｉ、Ｚｒ、Ｈｆ、Ｖ、Ｎｂ、Ｔａ、Ｃｒ、Ｍｏ、Ｗ、Ｍｎ、Ｒｅ、Ｆｅ、Ｃｏ、Ｎｉ、Ｒｕ、Ｒｈ、Ｐｄ、Ｉｒ、Ｐｔ、Ｃｕ、Ａｇ、Ａｕ、Ｚｎ、Ｃｄ、Ａｌ、Ｇａ、Ｉｎ、Ｓｉ、Ｇｅ、Ｔｅ、Ｐｂ、Ｐｏ、Ｓｎ、Ｂｉ等の金属及び半金属或いはステンレス鋼を挙げることができる。これらの光反射性物質は単独で用いてもよいし、或いは二種以上の組合せで、又は合金として用いてもよい。これらのうちで好ましいものは、Ｃｒ、Ｎｉ、Ｐｔ、Ｃｕ、Ａｇ、Ａｕ、Ａｌ及びステンレス鋼である。特に好ましくは、Ａｕ、Ａｇ、Ａｌ或いはこれらの合金であり、最も好ましくは、Ａｕ、Ａｇ或いはこれらの合金である。
【００５９】
〔ハードコート層〕
ハードコート層は、傷の発生を防止するための層であり、その材料としては、放射線硬化樹脂を用いることが好ましい。ハードコート層に使用される放射線硬化樹脂としては、放射線照射により硬化可能な樹脂であればよく、より詳細には、分子中に、２個以上の放射線官能性の２重結合を有する樹脂であることが好ましい。
例えば、アクリル酸エステル類、アクリルアミド類、メタクリル酸エステル類、メタクリル酸アミド類、アリル化合物、ビニルエーテル類、ビニルエステル類等が挙げられる。中でも、好ましくは、２官能以上のアクリレート化合物、メタクリレート化合物である。
【００６０】
〔その他の層〕
本発明の光情報記録媒体は、本発明の効果を損なわない範囲においては、上述の必須の層に加え、他の任意の層を有していてもよい。かかる他の任意の層としては、例えば、情報記録層と透明シートとの間に設けられるバリア層（後述）、反射層と情報記録層との間に設けられる界面層などが挙げられる。
なお、これら必須及び任意の層は、いずれも、単層でもよいし、多層構造を有してもよい。
【００６１】
〔バリア層（中間層）〕
本発明においては、情報記録層と接着層又は粘着層との間にバリア層を形成することが好ましい。
該バリア層は、情報記録層の保存性を高める、情報記録層とカバーシートとの接着性を向上させる、反射率を調整する、熱伝導率を調整する、等のために設けられる。
バリア層に用いられる材料としては、記録及び再生に用いられる光を透過する材料であり、上記の機能を発現し得るものであれば、特に、制限されるものではないが、例えば、一般的には、ガスや水分の透過性の低い材料であり、誘電体であることが好ましい。
具体的には、Ｚｎ、Ｓｉ、Ｔｉ、Ｔｅ、Ｓｎ、Ｍｏ、Ｇｅ等の窒化物、酸化物、炭化物、硫化物からなる材料が好ましく、ＺｎＳ、ＭｏＯ2、ＧｅＯ2、ＴｅＯ、ＳｉＯ2、ＴｉＯ2、ＺｕＯ、ＺｎＳ−ＳｉＯ2、ＳｎＯ2、ＺｎＯ−Ｇａ2Ｏ3が好ましく、ＺｎＳ−ＳｉＯ2、ＳｎＯ2、ＺｎＯ−Ｇａ2Ｏ3がより好ましい。
【００６２】
また、バリア層は、真空蒸着、ＤＣスパッタリング、ＲＦスパッタリング、イオンプレーティングなどの真空成膜法により形成することができる。中でも、スパッタリングを用いることがより好ましく、ＲＦスパッタリングを用いることが更に好ましい。
本発明におけるバリア層の厚さは、１〜２００ｎｍの範囲であることが好ましく、２〜１００ｎｍの範囲であることがより好ましく、３〜５０ｎｍの範囲であることが更に好ましい。
【００６３】
本発明の光情報記録媒体への情報記録方法は、カバーシート側から波長１００〜６００ｎｍのレーザー光を照射し、情報記録層を物理的或いは化学的に変化させることにより記録を行うことができる。
上記の構成の本発明の光情報記録媒体に対し、適した波長のレーザー光を照射して記録を行うことにより、良好で安定な記録再生特性を付与することができる。
【００６４】
記録波長（レーザー光波長）は、より好ましくは、下限値が２００ｎｍ以上であり、３００ｎｍ以上であることが更に好ましく、３５０ｎｍ以上であることが特に好ましい。また、上限値としては、５００ｎｍ以下であることがより好ましく、４５０ｎｍ以下であることが更に好ましく、４２０ｎｍ以下であることが特に好ましい。
なお、上記の上限値及び下限値は、それぞれが任意で組み合わせることができる。
また、情報の記録は本発明の光情報記録媒体のグルーブに行ってもよいし、ランドに行ってもよいが、グルーブの方が好ましい。
更に、上記の波長領域のレーザー光によって、情報の再生も行われる。
【００６５】
より具体的には、本発明の光情報記録媒体（追記型）を用いた情報の記録、再生は、例えば、次のようにして行われる。
まず、光情報記録媒体を所定の線速度（０．５〜１０ｍ／秒）、又は、所定の定角速度にて回転させながら、透明シート側から対物レンズを介して青紫色レーザ（例えば、波長４０５ｎｍ）などの記録用の光を照射する。この照射光により、情報記録層がその光を吸収して局所的に温度上昇し、例えば、ピットが生成してその光学特性を変えることにより情報が記録される。上記のように記録された情報の再生は、光情報記録媒体を所定の定線速度で回転させながら、青紫色レーザー光を透明シート側から照射して、その反射光を検出することにより行うことができる。
【００６６】
上述のような５００ｎｍ以下の発振波長を有するレーザー光源としては、例えば、３９０〜４１５ｎｍの範囲の発振波長を有する青紫色半導体レーザ、中心発振波長４２５ｎｍの青紫色ＳＨＧレーザ等を挙げることができる。
また、記録密度を高めるために、ピックアップに使用される対物レンズのＮＡは０．７以上が好ましく、０．８５以上がより好ましい。
【００６７】
＜光情報記録媒体の製造方法＞
本発明の光情報記録媒体の製造方法は、基板上に、少なくとも、情報記録層と、接着層又は粘着層と、カバーシートとをこの順に有し、かつＢＣＡ領域（Burst Cutting Area）にＢＣＡ情報が付与されている光情報記録媒体の製造方法であって、第１の態様では、前記カバーシートとなるシートのウエブをディスク状に打ち抜く工程と、ディスク状に打ち抜いたシートにＢＣＡ情報を印刷又はスタンプする工程と、前記ＢＣＡ情報を印刷又はスタンプしたカバーシートを接着剤又は粘着剤によって貼り合せる工程と、を含むことを特徴とし、第２の態様では、前記カバーシートとなるシートのウエブにＢＣＡ情報を印刷又はスタンプする工程と、前記ＢＣＡ情報を印刷又はスタンプしたカバーシートをディスク状に打ち抜く工程と、ディスク状に打ち抜いたカバーシートを接着剤又は粘着剤によって貼り合せる工程と、を含むことを特徴とし、第３の態様では、前記カバーシートとなるシートのウエブにＢＣＡ情報を印刷又はスタンプする工程と、前記前記ＢＣＡ情報を印刷したシートに粘着剤と塗布した後、ディスク状に打ち抜く工程と、ディスク状に打ち抜いたカバーシートを前記粘着剤によって貼り合せる工程と、を含むことを特徴としている。
本発明の製造方法は、既述の本発明の光情報記録媒体の好適な製造方法である。情報記録層などカバーシート以外の層の形成方法については既に説明したから、以下、ＢＣＡが付与されたカバーシートの形成方法について、第１の態様から説明する。
【００６８】
［シートをディスク状に打ち抜く工程］
この工程では、前記シートを、所定の大きさ、つまり、基板と同じ大きさのディスク状に打ち抜く。
また、この工程の前に、搬送性を向上させるためにシートをロール状に巻き取る工程を設けてもよく、その場合には、このシートを送り出し、一時的に、平面状にした状態で、カットパンチなどを用いて、基板と同じ大きさに連続的に打ち抜くことができる。
【００６９】
また、ロール状のカバーシート（カバーフィルム）としては、例えば、１５０ｍｍφの軸に、幅１５０ｍｍ、長さ２００ｍのフィルムを巻回したものを用いることができる。
カバーフィルムの厚さは、０．０３〜０．１５ｍｍの範囲であることが好ましく、０．０５〜０．１２ｍｍの範囲であることがより好ましい。このような範囲とすることにより、取り扱いが容易となり、しかも、コマ収差を抑えることができるという利点がある。
【００７０】
［ディスク状に打ち抜いたシートにＢＣＡ情報を印刷又はスタンプする工程］
ディスク状に打ち抜かれたシートに、所望のＢＣＡ情報を印刷する。印刷方法としては、既述の通り、インクジェットプリンタによる印刷方法、などが挙げられ、ＢＣＡ情報としては、バーコード、文字情報など当該印刷方法により印刷可能なものであればその形態は問わない。
【００７１】
［シートのＢＣＡ情報が印刷された面に粘着層（接着層）を付与する工程］
ＢＣＡ情報が印刷されたシートは、本工程において、ＢＣＡ情報が印刷された面に、粘着層（接着層）が設けられる。粘着層を設ける方法としては、予め形成された粘着層を貼り付ける方法（以下、適宜、間接法と称する）と、シートの表面に、直接、粘着剤を塗布し、乾燥させることで粘着層を形成する方法（以下、適宜、直接法と称する。）と、の２つに大別することができる。
【００７２】
間接法の場合における「予め形成された粘着層を貼り付ける方法」とは、例えば、シートと同じ大きさの離型フィルムの表面に、連続的に粘着剤を塗布し、乾燥させることで、離型フィルムの一方の面全域に粘着層を設け、その粘着層をシートに貼り付ける方法である。その結果、シートの他方の面全域には、離型フィルム付きの粘着層が設けられることになる。
【００７３】
直接法は、シートに粘着剤を直接塗布し、塗膜を形成した後、順次、その塗膜を乾燥させて、シートの面全域に粘着層を設ける方法である。
【００７４】
上記の間接法及び直接法において、粘着剤の塗布手段としては、従来公知の塗布手段を用いることができる。具体的には、スプレー法、ロールコート法、ブレードコート法、ドクターロール法、スクリーン印刷法などが挙げられる。
また、乾燥手段としては、加熱乾燥、送風乾燥など、従来公知の手段を用いることができる。
【００７５】
以上のようにして形成したカバーシートは、粘着層と情報記録層又はバリア層とが対向するように貼り合せることにより、ＢＣＡ情報がカバーシートに付与された光情報記録媒体が得られる。
【００７６】
本発明の製造方法の第２の態様は、カバーシートとなるシートのウエブにＢＣＡ情報を印刷又はスタンプする工程を最初に設けた点において第１の態様とは異なる。それ以外は、第１の態様と同様である。本態様は、シートの状態のままでＢＣＡ情報を印刷又はスタンプするため、一度の印刷操作で複数のシートに印刷することが可能であるため、第１の態様よりも短時間で光情報記録媒体の製造を行うことができる。
また、本態様においては、ＢＣＡ情報を媒体ごとに異ならせるには、ウエブの状態でそれぞれのディスク状領域に所望の異なるＢＣＡ情報を印刷すればよい。
【００７７】
さらに、本発明の製造方法の第３の態様は、ディスク状に打ち抜いたカバーシートを粘着剤によって貼り合せる前に、カバーシートとなるシートのウエブにＢＣＡ情報を印刷又はスタンプする工程と、前記前記ＢＣＡ情報を印刷したシートに粘着剤と塗布した後、ディスク状に打ち抜く工程とを設けた点において第１の態様とは異なる。本態様は、ＢＣＡ情報を印刷と粘着層の形成をシートの状態で行っているため、シートをロール状態にすれば、ＢＣＡ情報の印刷と粘着剤層の形成を連続的に行うことができるため、第１の態様、第２の態様よりもさらに短時間で製造を行うことができる。
【００７８】
カバーシートの一方の面に粘着層を形成する工程後、以降の工程へと容易に移行させるために、粘着層が設けられたシートが、再びロール状に巻き取られる工程を有してもよい。この工程を経る場合、シートと粘着層とが密着してしまうことを防止するためにも、粘着層の表面には、離型フィルムが貼り付けられていることが好ましい。上述のように、間接法においては、予め、離型フィルムを貼りつけた状態とすることができる。一方、直接法の場合には、粘着層が透明シートの表面に形成された後に、その粘着層の表面に離型フィルムを貼り付ける工程を新たに加えることが好ましい。
ここで、粘着層の表面に貼り付けられる離型フィルムとしては、ポリエチレンフィルム、ポリエチレンテレフタレートフィルム、ポリエチレンナフタレートフィルム、ポリカーボネートフィルム、トリアセテートセルロースフィルムなどが挙げられる。
【００７９】
また、粘着層が設けられたシートをディスク状に打ち抜く際、粘着層の表面に離型フィルムが貼り付けられている場合には、ハードコート層、透明シート及び粘着層の３層を打ち抜き、前記離型フィルムのみを打ち抜かず、更に、打ち抜かれた箇所以外の３層のみを取り除くという手段を用いてもよい。この手段により、離型フィルム上に、打ち抜かれたハードコート層及び粘着層が設けられた透明シートが残された形態となる。なお、この形態のものを再びロール状に巻き取ってもよい。
【００８０】
このように、本発明の光情報記録媒体の製造方法は、枚葉毎に、高出力レーザーによって反射層を除去してＢＣＡ情報を付与する場合と比べ、生産性がはるかに向上するという効果を有する。
【００８１】
本発明のＢＣＡ信号の検出方法は、光情報記録媒体にレーザー光を照射して、前記光情報記録媒体のＢＣＡ信号を検出するＢＣＡ信号の検出方法であって、前記光情報記録媒体が、ＢＣＡ情報が付与されたカバーシートを有し、前記ＢＣＡ信号の検出を前記カバーシートに付与されたＢＣＡ情報を読み取ることにより行うことを特徴としている。
既述の本発明の光情報記録媒体で説明したように、カバーシートに付与されたＢＣＡ情報をＢＣＡ信号として検出することにより、ＢＣＡ情報が反射層又は情報記録層に付与された場合と比較して、その反射率の大きな差異から高い検出精度で検出し得る。
なお、光情報記録媒体にレーザー光を照射してＢＣＡ情報をＢＣＡ信号として読み取ること自体は、例えば、特開２００３−１９６８４３号公報に記載されている手法によって行うことができる。
【図面の簡単な説明】
【００８２】
【図１】本発明の光情報記録媒体の一例を示す上面図である。
【図２】図１に示す光情報記録媒体の断面図である。
【符号の説明】
【００８３】
１０  光情報記録媒体
１２  基板
１４  反射層
１６  情報記録層
１８  粘着層
２０  カバーシート
２２  センターホール
２４  ＢＣＡ領域
【図１】
2006252643.tif 000003
【図２】
2006252643.tif 000004